【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
命令を有するコンピュータプログラムであって、前記命令は実行されると、セルラーネットワークの装置に、
粒度期間の終わりに、ワイヤレスローカルエリアネットワークアクセスポイントによる成功のメディアアクセス制御プロトコルデータユニット（“ＭＰＤＵ”）受信に関連付けられた第１のカウンタ値と、前記ワイヤレスローカルエリアネットワークアクセスポイントによる失敗したＭＰＤＵ受信に関連付けられた第２のカウンタ値とを収集することと、
前記第１の及び第２のカウンタ値を前記セルラーネットワークの前記装置の記憶回路に記憶することと、
を行わせる、コンピュータプログラム。
【請求項２】
前記命令は実行されると、前記装置に、
前記第１の及び第２のカウンタ値に基づいてパケットエラーレートを計算してワイヤレスローカルエリアネットワーク性能を決定すること
をさらに行わせる、請求項１に記載のコンピュータプログラム。
【請求項３】
前記装置は要素マネージャであり、前記命令は実行されると、前記要素マネージャに、
前記第１の及び第２のカウンタ値に基づいてネットワークマネージャに報告を送信すること
をさらに行わせる、請求項１に記載のコンピュータプログラム。
【請求項４】
前記命令は実行されると、前記装置に、統合参照ポイント（“ＩＲＰ”）エージェントを実装して前記第１の及び第２のカウンタ値を収集することをさらに行わせる、請求項１乃至３のうちいずれか１項に記載のコンピュータプログラム。
【請求項５】
前記命令は実行されると、前記装置に、前記ＩＲＰエージェントを実装してネットワークマネージャ内のＩＲＰマネージャに報告を送信することをさらに行わせる、請求項４に記載のコンピュータプログラム。
【請求項６】
前記命令は実行されると、前記装置に、１つ以上の要求を前記ワイヤレスローカルエリアネットワークアクセスポイントに送って前記第１の及び第２のカウンタ値を収集することをさらに行わせる、請求項１乃至５のうちいずれか１項に記載のコンピュータプログラム。
【請求項７】
前記命令は実行されると、前記装置に、前記粒度期間の終わりをタイマの満了に基づいて決定することをさらに行わせる、請求項６に記載のコンピュータプログラム。
【請求項８】
セルラーネットワークの要素マネージャであって、
記憶回路と、
統合参照ポイント（“ＩＲＰ”）エージェントを実装して、
粒度期間の終わりに、ワイヤレスローカルエリアネットワークアクセスポイントによる成功のメディアアクセス制御プロトコルデータユニット（“ＭＰＤＵ”）受信に関連付けられた第１のカウンタ値と、前記ワイヤレスローカルエリアネットワークアクセスポイントによる失敗したＭＰＤＵ受信に関連付けられた第２のカウンタ値とを収集し、
前記第１の及び第２のカウンタ値を当該要素マネージャの前記記憶回路に記憶する
処理回路と、
を備えた要素マネージャ。
【請求項９】
前記ＩＲＰエージェントはさらに、前記第１の及び第２のカウンタ値に基づいてパケットエラーレートを計算してワイヤレスローカルエリアネットワーク性能を決定する、請求項８に記載の要素マネージャ。
【請求項１０】
前記ＩＲＰエージェントはさらに、前記第１の及び第２のカウンタ値に基づいてネットワークマネージャに報告を送信する、請求項８に記載の要素マネージャ。
【請求項１１】
前記ＩＲＰエージェントはさらに、ネットワークマネージャ内のＩＲＰマネージャに報告を送信する、請求項８乃至１０のうちいずれか１項に記載の要素マネージャ。
【請求項１２】
前記ＩＲＰエージェントはさらに、１つ以上の要求を前記ワイヤレスローカルエリアネットワークアクセスポイントに送って前記第１の及び第２のカウンタ値を収集する、請求項８乃至１１のうちいずれか１項に記載の要素マネージャ。
【請求項１３】
タイマ、をさらに備え、
前記ＩＲＰエージェントは、前記粒度期間の終わりを前記タイマの満了に基づいて決定する、
請求項８乃至１２のうちいずれか１項に記載の要素マネージャ。
【請求項１４】
命令を有するコンピュータプログラムであって、前記命令は実行されると、セルラーネットワークの装置に、
粒度期間の終わりに、ワイヤレスローカルエリアネットワークアクセスポイントの搬送波感知多重アクセス／衝突回避（“ＣＳＭＡ／ＣＡ”）プロトコル関連測定に関連付けられた１つ以上のカウンタ値を収集することと、
前記１つ以上のカウンタ値を前記セルラーネットワークの前記装置の記憶回路に記憶することと、
を行わせる、コンピュータプログラム。
【請求項１５】
前記ＣＳＭＡ／ＣＡプロトコル関連測定は、成功の送信要求（“ＲＴＳ”）若しくは送信可（“ＣＴＳ”）応答、失敗したＲＴＳ若しくはＣＴＳ応答、又は失敗した肯定応答を含む、請求項１４に記載のコンピュータプログラム。
【請求項１６】
前記装置は要素マネージャであり、前記命令は実行されると、前記要素マネージャに、
前記１つ以上のカウンタ値に基づいてネットワークマネージャに報告を送信すること
をさらに行わせる、請求項１４に記載のコンピュータプログラム。
【請求項１７】
前記命令は実行されると、前記装置に、統合参照ポイント（“ＩＲＰ”）エージェントを実装して前記１つ以上のカウンタ値を収集することをさらに行わせる、請求項１４乃至１６のうちいずれか１項に記載のコンピュータプログラム。
【請求項１８】
前記命令は実行されると、前記装置に、前記ＩＲＰエージェントを実装してネットワークマネージャ内のＩＲＰマネージャに報告を送信することをさらに行わせる、請求項１７に記載のコンピュータプログラム。
【請求項１９】
前記命令は実行されると、前記装置に、１つ以上の要求を前記ワイヤレスローカルエリアネットワークアクセスポイントに送って前記１つ以上のカウンタ値を収集することをさらに行わせる、請求項１４乃至１８のうちいずれか１項に記載のコンピュータプログラム。
【請求項２０】
前記命令は実行されると、前記装置に、前記粒度期間の終わりをタイマの満了に基づいて決定することをさらに行わせる、請求項１９に記載のコンピュータプログラム。
【請求項２１】
セルラーネットワークの要素マネージャであって、
記憶回路と、
統合参照ポイント（“ＩＲＰ”）エージェントを実装して、
粒度期間の終わりに、ワイヤレスローカルエリアネットワークアクセスポイントの搬送波感知多重アクセス／衝突回避（“ＣＳＭＡ／ＣＡ”）プロトコル関連測定に関連付けられた１つ以上のカウンタ値を収集し、
前記１つ以上のカウンタ値を当該要素マネージャの前記記憶回路に記憶する
処理回路と、
を備えた要素マネージャ。
【請求項２２】
前記ＩＲＰエージェントはさらに、前記１つ以上のカウンタ値に基づいてネットワークマネージャに報告を送信する、請求項２１に記載の要素マネージャ。
【請求項２３】
前記ＩＲＰエージェントはさらに、ネットワークマネージャ内のＩＲＰマネージャに報告を送信する、請求項２２に記載の要素マネージャ。
【請求項２４】
前記ＩＲＰエージェントはさらに、１つ以上の要求を前記ワイヤレスローカルエリアネットワークアクセスポイントに送って前記１つ以上のカウンタ値を収集する、請求項２１乃至２３のうちいずれか１項に記載の要素マネージャ。
【請求項２５】
タイマ、をさらに備え、
前記ＩＲＰエージェントは、前記粒度期間の終わりを前記タイマの満了に基づいて決定する、
請求項２１乃至２４のうちいずれか１項に記載の要素マネージャ。
【請求項２６】
請求項１乃至７又は１４乃至２０のうちいずれか１項に記載のコンピュータプログラムを記憶したコンピュータ読取可能記憶媒体。